(57)【要約】【課題】基礎コンクリートのコーン状破壊を抑制しながらも、製造が容易な露出型柱脚構造を提供する。【解決手段】露出型柱脚構造１は、グラウト４と、補強筋６と、を備えている。グラウト４は、基礎コンクリート２１の上面２１ａとベースプレート３３の下面３３ｂとの間に設けられている。補強筋６は、外側アンカーボルト２９を挟んで互いに対向し建築物の内方に向かって延びる第１対向部６１及び第２対向部６２と、第１対向部６１の一端部６１ａと第２対向部６２の一端部６２ａとを連結し外側アンカーボルト２９よりも建築物の外方に配置される連結部６３と、を有する。補強筋６は、グラウト４内に埋設されている。【選択図】図２
2019124063.tif 000002
【特許請求の範囲】
【請求項１】
建築物を支持する露出型柱脚構造であって、
基礎コンクリートと、内側アンカーボルトと、前記内側アンカーボルトよりも前記建築物の外方に設けられる外側アンカーボルトと、を有し、前記内側アンカーボルト及び前記外側アンカーボルトは、下部が前記基礎コンクリート内に埋設され、上部が前記基礎コンクリートの上面から突出している、柱型と、
鉛直方向に延びる柱材と、
前記柱材の下端に固定され、前記内側アンカーボルト及び前記外側アンカーボルトがそれぞれ下方から挿通する貫通孔が形成され、前記内側アンカーボルト及び前記外側アンカーボルトの上部に対して固定されるベースプレートと、
前記基礎コンクリートの上面と前記ベースプレートの下面との間に設けられるグラウトと、
前記外側アンカーボルトを挟んで互いに対向し前記建築物の内方に向かって延びる第１対向部及び第２対向部と、前記第１対向部の一端部と前記第２対向部の一端部とを連結し前記外側アンカーボルトよりも前記建築物の外方に配置される連結部と、を有する補強筋と、を備え、
前記補強筋は、前記グラウト内に埋設されている、露出型柱脚構造。
【請求項２】
前記第１対向部及び前記第２対向部は、平面視で前記柱材の中央部よりも前記建築物の内方まで延びている、請求項１に記載の露出型柱脚構造。
【請求項３】
前記第１対向部及び前記第２対向部は、前記内側アンカーボルトを挟んで対向している、請求項１又は２に記載の露出型柱脚構造。
【請求項４】
前記補強筋は、前記第１対向部の他端部と前記第２対向部の他端部とが互いに離間することにより形成された開放端を有している、請求項１から３のいずれか一項に記載の露出型柱脚構造。
【請求項５】
前記第１対向部の他端部と前記第２対向部の他端部の少なくとも一方が屈曲している、請求項４に記載の露出型柱脚構造。
【請求項６】
前記補強筋は、前記第１対向部の他端部と前記第２対向部の他端部とを連結し前記内側アンカーボルトよりも前記建築物の内方に配置される副連結部を有している、請求項１から３のいずれか一項に記載の露出型柱脚構造。
【請求項７】
前記補強筋は、異形鉄筋である、請求項１から６のいずれか一項に記載の露出型柱脚構造。
【発明の詳細な説明】
【技術分野】
【０００１】
本発明は、建築物を支持する露出型柱脚構造に関する。
【背景技術】
【０００２】
建築物を支持する柱脚構造は、柱型と、柱材と、を備えている。柱型は主にコンクリートにより形成され、その内部に複数の鉄筋が埋設されている。露出型柱脚構造では、アンカーボルトが、下部が基礎コンクリートに埋設され、上部が基礎コンクリートの上面から突出している。柱材は、ベースプレートを介してアンカーボルトに対して固定されることにより、柱型の上方に立設される。
【０００３】
露出型柱脚構造では、地震等により建築物が加振されると、柱材からベースプレートを介してアンカーボルトに水平方向の外力が作用するとともに、基礎コンクリート内で応力が発生する。大きな外力によりアンカーボルトが著しく変形し、アンカーボルトの周囲のコンクリートを押し出し、基礎コンクリートの一側面が割裂しうる。このとき、アンカーボルトの周囲のコンクリート破断面は、略円錐形状を呈することが多く、このような基礎コンクリートの破壊は「コーン状破壊」とも称される。コーン状破壊は、外力が作用する方向において前方に、コンクリートの押し出しに抵抗する部位が少ないアンカーボルトの周囲で特に発生し易い。
【０００４】
このようなコーン状破壊を抑制する露出型柱脚構造として、特許文献１記載のものが提案されている。当該露出型柱脚構造では、柱型の基礎コンクリート内に補強筋が埋設されている。補強筋はアンカーボルトの周囲に配置されている。アンカーボルトに水平方向の外力が作用すると、補強筋は、基礎コンクリート内に発生する応力の一部を負担する。この結果、コーン状破壊を抑制できるとされている。
【先行技術文献】
【特許文献】
【０００５】
【特許文献１】特開２０１７−８９３０４号公報
【発明の概要】
【発明が解決しようとする課題】
【０００６】
しかしながら、特許文献１記載の露出型柱脚構造は、改善の余地を残していた。まず、アンカーボルトに過大な外力が作用した場合、提案されている補強筋ではアンカーボルトの変形を十分に抑制できず、コーン状破壊を抑制することができなかった。また、流動性を有するコンクリートを型枠内に流し込んで柱型の基礎コンクリートを成形する際に、補強筋をアンカーボルトの周囲に配置した状態で保持することが難しいため、製造に大きな手間を要するという課題があった。
【０００７】
本発明はこのような課題に鑑みてなされたものであり、基礎コンクリートのコーン状破壊を抑制しながらも、製造が容易な露出型柱脚構造を提供することを目的とする。
【課題を解決するための手段】
【０００８】
上記課題を解決するために、本発明に係る露出型柱脚構造は、基礎コンクリートと、内側アンカーボルトと、内側アンカーボルトよりも建築物の外方に設けられる外側アンカーボルトと、を有し、内側アンカーボルト及び外側アンカーボルトは、下部が基礎コンクリート内に埋設され、上部が基礎コンクリートの上面から突出している、柱型と、鉛直方向に延びる柱材と、柱材の下端に固定され、内側アンカーボルト及び外側アンカーボルトがそれぞれ下方から挿通する貫通孔が形成され、内側アンカーボルト及び外側アンカーボルトの上部に対して固定されるベースプレートと、基礎コンクリートの上面とベースプレートの下面との間に設けられるグラウトと、外側アンカーボルトを挟んで互いに対向し建築物の内方に向かって延びる第１対向部及び第２対向部と、第１対向部の一端部と第２対向部の一端部とを連結し外側アンカーボルトよりも建築物の外方に配置される連結部と、を有する補強筋と、を備える。補強筋は、グラウト内に埋設されている。
【０００９】
本露出型柱脚構造において、ベースプレートは、内側アンカーボルト及び外側アンカーボルトの上部に対して固定される。このため、柱材からベースプレートを介して外側アンカーボルトに外力が作用すると、外側アンカーボルトは、上部に近い部位ほど大きく変形しようとする。
【００１０】
そこで、本露出型柱脚構造では、補強筋はグラウト内に埋設されている。グラウトは、基礎コンクリートの上面と、ベースプレートの下面との間に設けられている。したがって、この構成によれば、基礎コンクリート内よりも、外側アンカーボルトの上部に近い位置に、補強筋を配置することができる。外側アンカーボルトに外力が作用すると、補強筋は、グラウト内で発生する応力の一部を負担する。この結果、外側アンカーボルトの変形を効果的に抑制し、基礎コンクリートのコーン状破壊を抑制することができる。
【００１１】
一般的に、グラウトは、基礎コンクリートの上面の不陸の影響を排し、柱材を鉛直方向に沿って立設させるために設けられる。このため、グラウトに必要とされる厚みは、基礎コンクリートの寸法に比べて十分小さい。したがって、補強筋がグラウト内に埋設される本露出型柱脚構造では、グラウトを成形する際に、補強筋を外側アンカーボルトの周囲に配置した状態で容易に保持することができる。この結果、本露出型柱脚構造の製造も容易となる。
【００１２】
第１対向部及び第２対向部は、平面視で柱材の中央部よりも建築物の内方まで延びていてもよい。
【００１３】
この構成によれば、グラウト内で発生する応力を、補強筋により十分に負担することができる。この結果、外側アンカーボルトの変形を効果的に抑制し、基礎コンクリートのコーン状破壊を抑制することができる。
【００１４】
第１対向部及び第２対向部は、内側アンカーボルトを挟んで対向していてもよい。
【００１５】
建築物の外方への外力を受けると、コーン状破壊が開始することにより、外側アンカーボルトは内側アンカーボルトよりも大きく変形する傾向がある。第１対向部及び第２対向部を、内側アンカーボルトを挟んで対向させる上記構成によれば、外側アンカーボルトの変形量を、内側アンカーボルトのものに近づけることが可能になる。この結果、外側アンカーボルトの変形を効果的に抑制し、基礎コンクリートのコーン状破壊を抑制することができる。
【００１６】
補強筋は、第１対向部の他端部と第２対向部の他端部とが互いに離間することにより形成された開放端を有していてもよい。
【００１７】
この構成によれば、本露出型柱脚構造の製造時に、基礎コンクリートの上面と、ベースプレートの下面との間に、開放端側から補強筋を挿入することにより、外側アンカーボルトを挟んで第１対向部と第２対向部とを互いに対向させることができる。すなわち、基礎コンクリートの上面と、ベースプレートの下面との間への補強筋の配置が容易となり、本露出型柱脚構造を容易に製造することができる。また、基礎コンクリートの上面と、ベースプレートの下面との間に、未固化のグラウトを充填する際に、開放端から第１対向部と第２対向部との間にグラウトを確実に流入させることができる。
【００１８】
第１対向部の他端部と第２対向部の他端部の少なくとも一方が屈曲していてもよい。
【００１９】
この構成によれば、補強筋は、屈曲している他端部においてグラウトと係止し、グラウト内で発生する応力の一部を確実に負担することができる。この結果、外側アンカーボルトの変形を効果的に抑制し、基礎コンクリートのコーン状破壊を抑制することができる。
【００２０】
補強筋は、第１対向部の他端部と第２対向部の他端部とを連結し内側アンカーボルトよりも建築物の内方に配置される副連結部を有していてもよい。
【００２１】
補強筋は、副連結部を有することにより環状となり、外側アンカーボルトと内側アンカーボルトとを囲むものとなる。この構成によれば、外側アンカーボルトの変形量を、内側アンカーボルトのものにさらに近づけることが可能になる。この結果、外側アンカーボルトの変形を効果的に抑制し、基礎コンクリートのコーン状破壊を抑制することができる。
【００２２】
補強筋は、異形鉄筋であってもよい。
【００２３】
この構成によれば、異形鉄筋である補強筋は、その表面の凹凸において周囲のグラウトに対して係止する。このため、グラウト内で発生する応力の一部を確実に負担することができる。この結果、外側アンカーボルトの変形を効果的に抑制し、基礎コンクリートのコーン状破壊を抑制することができる。
【発明の効果】
【００２４】
本発明によれば、基礎コンクリートのコーン状破壊を抑制しながらも、製造が容易な露出型柱脚構造を提供することができる。
【図面の簡単な説明】
【００２５】
【図１】第１実施形態に係る露出型柱脚構造を示す斜視図である。
【図２】図１の露出型柱脚構造を示す側面図である。
【図３】図２のＩＩＩ−ＩＩＩ断面を示す断面図である。
【図４】図２のＩＶ−ＩＶ断面を示す断面図である。
【図５】図２のＶ−Ｖ断面を示す断面図である。
【図６】図２の補強筋を示す斜視図である。
【図７】図２の座金を示す斜視図である。
【図８】図１の露出型柱脚構造の製造工程を示す説明図である。
【図９】図１の露出型柱脚構造の製造工程を示す説明図である。
【図１０】第２実施形態に係る補強筋を示す斜視図である。
【図１１】図１０の補強筋が配置された露出型柱脚構造を示す断面図である。
【図１２】第３実施形態に係る露出型柱脚構造を示す断面図である。
【発明を実施するための形態】
【００２６】
以下、添付図面を参照しながら実施形態について説明する。説明の理解を容易にするため、各図面において同一の構成要素に対しては可能な限り同一の符号を付して、重複する説明は省略する。
【００２７】
まず、図１を参照しながら、第１実施形態に係る露出型柱脚構造１（以下「柱脚構造１」ともいう。）の概要について説明する。図１は、柱脚構造１を示す斜視図であり、建築物に複数設けられる柱脚構造１のうち、当該建築物の外壁近傍に相当する部位を示している。換言すれば、後述する柱材３１は、「隅柱」や「側柱」と称される柱に相当する。
【００２８】
柱脚構造１は、建築物の下部に設けられ、当該建築物の支持に用いられる構造体であり、戸建や集合住宅、商業ビル等、種々の建築物に適用し得る。柱脚構造１は、柱型２と、柱材３１と、ベースプレート３３と、を備えている。
【００２９】
柱型２は、柱脚構造１の下部に配置される。柱型２の下部は、基礎コンクリート２１により構成されている。基礎コンクリート２１は、流動性を有するコンクリートを不図示の型枠内に注入し、固化させることにより形成されている。後述するように、基礎コンクリート２１内には複数の鉄筋が埋設されている。基礎コンクリート２１の上面２１ａからは、当該鉄筋の一部である内側アンカーボルト２７及び外側アンカーボルト２９が２本ずつ突出し、鉛直方向に延びている。基礎コンクリート２１は、少なくともその一部が地中に埋設されている。
【００３０】
柱材３１は鋼材であり、建築物の一部を構成している。ベースプレート３３は、柱材３１の下端に溶接されている。ベースプレート３３は、平面視で略正方形を呈し、所定の厚みを有する板形状の部材である。後述するように、ベースプレート３３は、内側貫通孔３５及び外側貫通孔３７（図２参照）がそれぞれ２つずつ形成されている。
【００３１】
柱脚構造１は、柱材３１を柱型２に対して固定することにより構成される。詳細には、柱材３１を鉛直方向に延びるように配置し、内側アンカーボルト２７をベースプレート３３の内側貫通孔３５に挿通させ、外側アンカーボルト２９をベースプレート３３の外側貫通孔３７に挿通させる。これにより、ベースプレート３３の上面３３ａから、内側アンカーボルト２７及び外側アンカーボルト２９が突出する。
【００３２】
基礎コンクリート２１の上面２１ａと、ベースプレート３３の下面３３ｂとの間には、グラウト４が設けられる。基礎コンクリート２１の上面２１ａに不陸があった場合でも、グラウト４を設けて平坦な面を形成し、当該グラウト４にベースプレート３３を載置することにより、柱材３１をより正確に鉛直方向に延びるように配置することが可能になる。
【００３３】
ベースプレート３３の上面３３ａには、内側アンカーボルト２７及び外側アンカーボルト２９を挿通させて座金５ａ，５ｂが配置される。さらに、内側アンカーボルト２７及び外側アンカーボルト２９に、ナット９１を螺合させることにより、ナット９１が座金５ａ，５ｂを介してベースプレート３３を柱型２側に押圧する。これにより、柱材３１は、ベースプレート３３を介して、内側アンカーボルト２７及び外側アンカーボルト２９に対して固定され、柱型２の上方に立設される。柱脚構造１は、柱材３１が柱型２の基礎コンクリート２１内に埋設されることなく、露出していることから、「露出型柱脚構造」と称される。
【００３４】
次に、図２から図７を参照しながら、柱脚構造１について詳細に説明する。図２は、柱脚構造１を示す側面図である。図３は、図２のＩＩＩ−ＩＩＩ断面を示す断面図である。図４は、図２のＩＶ−ＩＶ断面を示す断面図である。図５は、図２のＶ−Ｖ断面を示す断面図である。図２から図５は、理解を容易にするため、一部の部材を断面視したり、透視したりして、柱脚構造１を模式的に示している。図６は、補強筋６を示す斜視図である。図７は、座金５ａ，５ｂを示す斜視図であり、座金５ａ，５ｂを２方向から示している。
【００３５】
図２及び図５に示されるように、柱型２の基礎コンクリート２１内には、立上筋２３と、フープ筋２５と、内側アンカーボルト２７と、外側アンカーボルト２９と、が埋設されている。
【００３６】
１２本の立上筋２３は、水平方向に互いに間隔を空け、基礎コンクリート２１の外形に沿って配置されている。各立上筋２３は、鉛直方向に延びている。フープ筋２５は、立上筋２３を囲んでおり、鉛直方向に互いに間隔を空けて配置されている。立上筋２３及びフープ筋２５の数は、支持する建築物等に応じて適宜設定される。
【００３７】
内側アンカーボルト２７及び外側アンカーボルト２９は、立上筋２３及びフープ筋２５よりも基礎コンクリート２１の中央部側に配置されている。内側アンカーボルト２７及び外側アンカーボルト２９は、いずれも鉛直方向に延びるように配置されている。外側アンカーボルト２９は、内側アンカーボルト２７よりも建築物の外方に設けられる。図２に示されるように、内側アンカーボルト２７及び外側アンカーボルト２９は、それらの下部２７ａ，２９ａが基礎コンクリート２１内に埋設され、上部２７ｂ，２９ｂが基礎コンクリート２１の上面２１ａから突出している。上部２７ｂ，２９ｂの外周面には雄ねじが形成されている。
【００３８】
前述したように、基礎コンクリート２１の上面２１ａと、ベースプレート３３の下面３３ｂとの間には、グラウト４が設けられている。グラウト４は、流動性を有するモルタルを、基礎コンクリート２１の上面２１ａと、ベースプレート３３の下面３３ｂとの間に注入し、固化させることにより形成されている。当該モルタルは流動性に優れ、固化した際の収縮量が比較的小さいものが用いられる。グラウト４の圧縮強度（例えば、４０〜６０Ｎ／ｍｍ２）は、基礎コンクリート２１の圧縮強度（例えば、１８〜３０Ｎ／ｍｍ２）よりも大きい。
【００３９】
図２及び図４に示されるように、当該グラウト４内には補強筋６が埋設されている。詳細には、補強筋６は、固化したグラウト４内に埋設されており、補強筋６の外側面はグラウト４により覆われている。
【００４０】
図６に示されるように、補強筋６は、外側面にリブ６７及び節６９を有する異形鉄筋である。補強筋６は、第１対向部６１と、第２対向部６２と、連結部６３と、を有している。第１対向部６１及び第２対向部６２は、互いに平行となるように、略直線状に延びている。連結部６３は、略円弧状に湾曲しており、第１対向部６１の一端部６１ａと、第２対向部６２の一端部６２ａとを連結している。
【００４１】
また、第１対向部６１の他端部６１ｂと、第２対向部６２の他端部６２ｂとは互いに離間しており、連結されていない。このため、補強筋６は、他端部６１ｂ，６２ｂ側を開放端とする略Ｕ字形状を呈している。さらに、他端部６１ｂ，６２ｂは、屈曲して互いに離反する方向に延びている。
【００４２】
図４に示されるように、補強筋６は、その第１対向部６１及び第２対向部６２が、内側アンカーボルト２７及び外側アンカーボルト２９を挟んで互いに対向し、建築物の内方に向かって延びるように配置される。第１対向部６１及び第２対向部６２は、点Ｐよりも建築物の内方に延びている。点Ｐは、平面視で柱材３１の中央部に対応する点である。また、補強筋６の連結部６３は、外側アンカーボルト２９よりも建築物の外方において、外側アンカーボルト２９を周回するように配置される。
【００４３】
内側アンカーボルト２７が挿通する座金５ａと、外側アンカーボルト２９が挿通する座金５ｂとは、互いに同一形状を呈している。図７に示されるように、座金５ａ，５ｂは座金本体５１を有している。座金本体５１の下面側には、凹部５３が形成されている。また、座金本体５１には、上面側から凹部５３まで貫通する第１貫通孔５５及び第２貫通孔５７が形成されている。第１貫通孔５５の直径は、第２貫通孔５７の直径や、内側アンカーボルト２７及び外側アンカーボルト２９の直径よりも大きい。
【００４４】
次に、図８及び図９を参照しながら、柱脚構造１の製造工程について説明する。図８及び図９は、柱脚構造１の製造工程を示す説明図である。図８は、当該工程の一部を示しており、図９は、当該工程の残部を示している。
【００４５】
［スペーサ配置工程］
まず、図８（Ａ）に示されるスペーサ配置工程において、柱型２の基礎コンクリート２１の上面２１ａに、スペーサ４１が配置される。スペーサ４１は、モルタルにより形成され、例えば３０ｍｍの厚みを有する円板形状を呈している。当該モルタルは、グラウト４の形成に用いられるものと同種である。スペーサ４１の直径は、ベースプレート３３の一辺の長さよりも小さい。スペーサ４１は、内側アンカーボルト２７及び外側アンカーボルト２９よりも、基礎コンクリート２１の中央部側に配置される。
【００４６】
［立設工程］
次に、図８（Ｂ）に示される立設工程において、柱型２の上方に柱材３１が配置される。このとき、柱材３１は、ベースプレート３３の下面３３ｂが、スペーサ４１の上面４１ａと当接するまで下方に移動する。これにより、ベースプレート３３の下面３３ｂと、基礎コンクリート２１の上面２１ａの上面とは、スペーサ４１を挟んで対向し、両者の間に空間Ｃが形成される。また、ベースプレート３３の内側貫通孔３５に内側アンカーボルト２７が挿通し、外側貫通孔３７に外側アンカーボルト２９が挿通し、それぞれの上部２７ｂ，２９ｂがベースプレート３３よりも上方に配置される。
【００４７】
［固定工程］
次に、図８（Ｃ）に示される固定工程において、ベースプレート３３が、ナット９１により固定される。具体的には、まず、座金５ａ，５ｂの第１貫通孔５５に、内側アンカーボルト２７の上部２７ｂ、及び、外側アンカーボルト２９の上部２９ｂが挿通し、ベースプレート３３の上面３３ａに座金５ａ，５ｂが配置される。凹部５３により、座金５ａ，５ｂと、ベースプレート３３の上面３３ａとの間に空間が形成される。
【００４８】
さらに、内側アンカーボルト２７の上部２７ｂ、及び、外側アンカーボルト２９の上部２９ｂのそれぞれに、ナット９１が２つずつ螺合する。下方のナット９１は、座金５ａ，５ｂを介してベースプレート３３を下方に押圧する。これにより、ベースプレート３３がスペーサ４１に押し付けられ、柱型２に対して固定される。上方のナット９１は、下方のナット９１を押圧し、その緩みを抑制する。
【００４９】
［補強筋配置工程］
次に、図９（Ａ）に示される補強筋配置工程において、空間Ｃに補強筋６が挿入配置される。補強筋６は、開放端である他端部６１ｂ，６２ｂ側から、第１対向部６１及び第２対向部６２の間に、内側アンカーボルト２７及び外側アンカーボルト２９を配置させるように、挿入される。補強筋６は、基礎コンクリート２１の上面２１ａの上面に載置される。
【００５０】
［充填工程］
次に、図９（Ｂ）に示される充填工程において、空間Ｃは型枠９３により包囲されるとともに、注入器９５から座金５ｂの第２貫通孔５７に未固化のグラウト４が注入される。注入されたグラウト４は、座金５ｂと、ベースプレート３３の上面３３ａとの間に形成された空間を流れ、ベースプレート３３の外側貫通孔３７を通過して、空間Ｃに流入する。
【００５１】
空間Ｃに流入したグラウトは、破線の矢印で示されるように、建築物の内方に向かって流れる。これにより、空間Ｃに配置されているスペーサ４１、内側アンカーボルト２７、外側アンカーボルト２９及び補強筋６が、グラウト４内に埋設される。
【００５２】
空間Ｃにグラウト４が充填されると、当該グラウト４は、ベースプレート３３の内側貫通孔３５を通過して、座金５ａと、ベースプレート３３の上面３３ａとの間に形成された空間に流入する。当該グラウト４が、座金５ａの第２貫通孔５７から外部に溢れ出たことに基づき、座金５ｂの第２貫通孔５７へのグラウト４の注入が終了する。
【００５３】
［完成］
充填工程の終了後、グラウト４を所定時間養生し、固化させる。グラウト４が固化した後、図９（Ｃ）に示されるように型枠９３を除去することにより、柱脚構造１が完成する。
【００５４】
次に、柱脚構造１の作用及び効果について説明する。
【００５５】
柱脚構造１において、ベースプレート３３は、内側アンカーボルト２７及び外側アンカーボルト２９の上部２７ｂ，２９ｂに対して固定される。このため、柱材３１からベースプレート３３を介して外側アンカーボルト２９に外力が作用すると、外側アンカーボルト２９は、上部２９ｂに近い部位ほど大きく変形しようとする。
【００５６】
そこで、柱脚構造１では、補強筋６はグラウト４内に埋設されている。グラウト４は、基礎コンクリート２１の上面２１ａとベースプレート３３の下面３３ｂとの間に設けられている。したがって、この構成によれば、基礎コンクリート２１内よりも、外側アンカーボルト２９の上部２９ｂに近い位置に、補強筋６を配置することができる。外側アンカーボルト２９に外力が作用すると、補強筋６は、グラウト４内で発生する応力の一部を負担する。この結果、外側アンカーボルト２９の変形を効果的に抑制し、基礎コンクリート２１のコーン状破壊を抑制することができる。
【００５７】
前述したように、グラウト４は、基礎コンクリート２１の上面２１ａの不陸の影響を排し、柱材３１を鉛直方向に沿って立設させるために設けられる。このため、グラウト４に必要とされる厚みは、基礎コンクリート２１の寸法に比べて十分小さい。したがって、補強筋６がグラウト４内に埋設される柱脚構造１では、グラウト４を成形する際に、補強筋６を外側アンカーボルト２９の周囲に配置した状態で容易に保持することができる。この結果、柱脚構造１の製造も容易となる。
【００５８】
第１対向部６１及び第２対向部６２は、平面視で柱材の中央部よりも建築物の内方まで延びている。この構成によれば、グラウト４内で発生する応力を、補強筋６により十分に負担することができる。この結果、外側アンカーボルト２９の変形を効果的に抑制し、基礎コンクリート２１のコーン状破壊を抑制することができる。
【００５９】
第１対向部６１及び第２対向部６２は、内側アンカーボルト２７を挟んで対向している。建築物の外方への外力を受けると、コーン状破壊が開始することにより、外側アンカーボルト２９は内側アンカーボルト２７よりも大きく変形する傾向がある。第１対向部６１及び第２対向部６２を、内側アンカーボルト２７を挟んで対向させるこの構成によれば、外側アンカーボルト２９の変形量を、内側アンカーボルト２７のものに近づけることが可能になる。この結果、外側アンカーボルト２９の変形を効果的に抑制し、基礎コンクリート２１のコーン状破壊を抑制することができる。
【００６０】
補強筋６は、第１対向部６１の他端部６１ｂと、第２対向部６２の他端部６２ｂとが互いに離間することにより形成された開放端を有している。この構成によれば、柱脚構造１の製造時に、基礎コンクリート２１の上面２１ａとベースプレート３３の下面３３ｂとの間に、開放端側から補強筋６を挿入することにより、外側アンカーボルト２９を挟んで第１対向部６１と第２対向部６２とを互いに対向させることができる。すなわち、基礎コンクリート２１の上面２１ａとベースプレート３３の下面３３ｂとの間への補強筋６の配置が容易となり、柱脚構造１を容易に製造することができる。また、基礎コンクリート２１の上面２１ａとベースプレート３３の下面３３ｂとの間に、流動性を有するグラウト４を充填する際に、開放端から第１対向部６１と第２対向部６２との間にグラウトを確実に流入させることができる。
【００６１】
第１対向部６１の他端部６１ｂと第２対向部６２の他端部６２ｂが屈曲していている。この構成によれば、補強筋６は、屈曲している他端部６１ｂ，６２ｂにおいてグラウト４と係止し、グラウト４内で発生する応力の一部を確実に負担することができる。この結果、外側アンカーボルト２９の変形を効果的に抑制し、基礎コンクリート２１のコーン状破壊を抑制することができる。
【００６２】
補強筋６は、異形鉄筋である。この構成によれば、異形鉄筋である補強筋６は、その表面の凹凸において周囲のグラウト４に対して係止する。このため、グラウト４内で発生する応力の一部を確実に負担することができる。この結果、外側アンカーボルト２９の変形を効果的に抑制し、基礎コンクリート２１のコーン状破壊を抑制することができる。
【００６３】
次に、第２実施形態について、図１０及び図１１を参照しながら説明する。図１０は、第２実施形態に係る補強筋６０を示す斜視図である。図１１は、補強筋６０が配置された柱脚構造を示す断面図であり、図２のＩＶ−ＩＶ断面に相当する断面を示している。
【００６４】
補強筋６０は、その形状が前述した補強筋６のものと異なるが、補強筋６と同様にグラウト４内に埋設される。補強筋６０のうち、補強筋６と同一の構成については同一の符号を付して、説明を適宜省略する。
【００６５】
図１０に示されるように、補強筋６０は、第１対向部６１の他端部６１ｂと、第２対向部６２の他端部６２ｂとが、副連結部６５により連結されている。すなわち、補強筋６０は環状を呈している。副連結部６５は略円弧状に湾曲しており、その曲率は連結部６３のものと略同一である。
【００６６】
図１１に示されるように、補強筋６０の副連結部６５は、内側アンカーボルト２７よりも建築物の内方において、内側アンカーボルト２７を周回するように配置される。つまり、一組の内側アンカーボルト２７及び外側アンカーボルト２９が、１つの補強筋６０により囲まれる。
【００６７】
補強筋６０を備える柱脚構造の製造工程では、前述した補強筋６を配置する補強筋配置工程（図９（Ａ）参照）に代え、補強筋６０を配置する工程が必要となる。詳細には、前述した立設工程（図８（Ｂ）参照）に先駆けて、内側アンカーボルト２７及び外側アンカーボルト２９を補強筋６０の内部に挿通させ、補強筋６０を基礎コンクリート２１の上面２１ａに載置する工程が必要となる。
【００６８】
このように、補強筋６０は、第１対向部６１の他端部６１ｂと第２対向部６２の他端部６２ｂとを連結し内側アンカーボルト２７よりも建築物の内方に配置される副連結部６５を有している。補強筋６０は、副連結部６５を有することにより環状となり、外側アンカーボルト２９と内側アンカーボルト２７とを囲むものとなる。この構成によれば、外側アンカーボルト２９の変形量を、内側アンカーボルト２７のものにさらに近づけることが可能になる。この結果、外側アンカーボルト２９の変形を効果的に抑制し、基礎コンクリート２１のコーン状破壊を抑制することができる。
【００６９】
次に、第３実施形態について、図１２を参照しながら説明する。図１２は、第３実施形態に係る露出型柱脚構造を示す断面図であり、図２のＩＶ−ＩＶ断面に相当する断面を示している。第３実施形態のうち、第１実施形態と同一の構成については同一の符号を付して、説明を適宜省略する。
【００７０】
第３実施形態は、柱材が建築物の隅柱として用いられる露出型柱脚構造である。このため、図１２に示されるように、建築物の内方と外方とが、いずれも２方向あるとみなすことができる。
【００７１】
アンカーボルト２８は、前述した内側アンカーボルト２７及び外側アンカーボルト２９の双方に相当する。アンカーボルト２８は、内側アンカーボルト２７及び外側アンカーボルト２９と同様に、柱型２の基礎コンクリート２１内に埋設されており、基礎コンクリート２１の上面２１ａ（図２参照）から突出して鉛直方向に延びている。
【００７２】
第３実施形態では、複数の補強筋６が鉛直方向に重ねて配置されている。具体的には、下段の補強筋６，６は、その第１対向部６１及び第２対向部６２が、図１２の左右方向に延びるように配置されている。一方、上段の補強筋６，６は、その第１対向部６１及び第２対向部６２が、図１２の上下方向に延びるように配置されている。
【００７３】
以上の説明のように構成された第３実施形態に係る柱脚構造によれば、隅柱である柱材からベースプレートを介して外側アンカーボルト２９やアンカーボルト２８に外力が作用した場合でも、補強筋６は、グラウト４内で発生する応力の一部を負担する。この結果、外側アンカーボルト２９やアンカーボルト２８の変形を効果的に抑制し、基礎コンクリート２１のコーン状破壊を抑制することができる。
【００７４】
以上、具体例を参照しつつ本発明の実施の形態について説明した。しかし、本発明はこれらの具体例に限定されない。すなわち、これら具体例に、当業者が適宜設計変更を加えたものも、本発明の特徴を備えている限り、本発明の範囲に包含される。前述した各具体例が備える各要素及びその配置、材料、条件、形状、サイズなどは、例示したものに限定されず、適宜変更することができる。
【００７５】
例えば、前述した補強筋６，６０の第１対向部６１及び第２対向部６２は、一組の内側アンカーボルト２７及び外側アンカーボルト２９を挟んで互いに対向するように構成されている。しかしながら、本発明に係る補強筋は、この態様に限定されない。例えば、本発明に係る補強筋は、その第１対向部及び第２対向部が、複数の組の内側アンカーボルト及び外側アンカーボルトを挟んで互いに対向するように構成されていてもよい。
【００７６】
また、前述した補強筋６０は、切れ目が無い環状を呈している。しかしながら、本発明に係る補強筋は、この態様に限定されない。例えば、本発明に係る補強筋は、切れ目を有する略Ｃ字形状を呈していてもよい。
【符号の説明】
【００７７】
１：露出型柱脚構造
２：柱型
２１：基礎コンクリート
２１ａ：（基礎コンクリートの）上面
２７：内側アンカーボルト
２７ａ：（内側アンカーボルトの）下部
２７ｂ：（内側アンカーボルトの）上部
２８：アンカーボルト（内側アンカーボルト、外側アンカーボルト）
２９：外側アンカーボルト
２９ａ：（外側アンカーボルトの）下部
２９ｂ：（外側アンカーボルトの）上部
３１：柱材
３３：ベースプレート
３３ｂ：（ベースプレートの）下面
３５：内側貫通孔
３７：外側貫通孔
４：グラウト
６，６０：補強筋
６１：第１対向部
６１ａ：（第１対向部の）一端部
６１ｂ：（第１対向部の）他端部
６２：第２対向部
６２ａ：（第２対向部の）一端部
６２ｂ：（第２対向部の）他端部
６３：連結部
６５：副連結部
【図１】
2019124063.tif 000003
【図２】
2019124063.tif 000004
【図３】
2019124063.tif 000005
【図４】
2019124063.tif 000006
【図５】
2019124063.tif 000007
【図６】
2019124063.tif 000008
【図７】
2019124063.tif 000009
【図８】
2019124063.tif 000010
【図９】
2019124063.tif 000011
【図１０】
2019124063.tif 000012
【図１１】
2019124063.tif 000013
【図１２】
2019124063.tif 000014